(57)【要約】【課題】輸送を容易に行うことができ、保管スペースも小さくて済む組立及び分解可能な動物捕獲用檻を提供すること。【解決手段】正面を入口とした檻本体１と、この檻本体１の入口を開閉する落下扉２を上下動可能に支持する支持枠３とを備える動物捕獲用檻であって、檻本体１は、５枚の平金網１ａ〜１ｅの周縁部どうしを線状コイル４で連結することによって正面を入口として開口した箱状に形成されると共に、線状コイル４を取り外すことによって５枚の平金網１ａ〜１ｅに分解され、支持枠３は、その周縁部と檻本体１の入口の周縁部とを線状コイル４で連結することによって檻本体１の入口に取り付けられると共に、線状コイル４を取り外すことによって檻本体１の入口から取り外される。【選択図】図１
0003147701.tif 000002
【実用新案登録請求の範囲】
【請求項１】
正面を入口とした檻本体と、この檻本体の入口を開閉する落下扉を上下動可能に支持する支持枠とを備える動物捕獲用檻であって、
前記檻本体は、５枚の平金網の周縁部どうしを線状コイルで連結することによって正面を入口として開口した箱状に形成されると共に、前記線状コイルを取り外すことによって５枚の平金網に分解され、
前記支持枠は、その周縁部と前記檻本体の入口の周縁部とを線状コイルで連結することによって前記檻本体の入口に取り付けられると共に、前記線状コイルを取り外すことによって前記檻本体の入口から取り外されることを特徴とする組立及び分解可能な動物捕獲用檻。
【請求項２】
前記５枚の平金網の周縁部どうし、及び前記支持枠の周縁部と前記檻本体の入口の周縁部は、線状コイルを螺旋状に巻き付けることによって連結される請求項１に記載の組立及び分解可能な動物捕獲用檻。
【考案の詳細な説明】
【技術分野】
【０００１】
本考案は、猪、猿、熊、鹿等の有害動物を捕獲するための動物捕獲用檻に関する。
【背景技術】
【０００２】
近年、山林の伐採などによって、餌場を失った野生動物が農作物を目当てに、人里近くに出没して田畑に被害を与えたり、また、驚いた動物が人に危害を及ぼすこともあり、社会問題となっている。このように、人里近くに出没する野生動物による被害を未然に防止するために、野生動物の捕獲が行われている。
【０００３】
従来、野生動物の捕獲には、捕獲用の檻が用いられており、例えば特許文献１には、猪の捕獲用檻が開示されている。また、本願出願人も、特許文献２において動物捕獲用檻を開示した。
【０００４】
しかしながら、従来の動物捕獲用檻は、その檻本体が箱状に一体物として形成されており、嵩張るために輸送に困り、とくに山道や畦道に仕掛けるのが大変であった。また、保管する際にも、大きな保管スペースが必要であった。
【特許文献１】特開２０００−３３３５８６号公報
【特許文献２】特開２００５−５２００５号公報
【考案の開示】
【考案が解決しようとする課題】
【０００５】
そこで、本考案が解決しようとする課題は、輸送を容易に行うことができ、保管スペースも小さくて済む組立及び分解可能な動物捕獲用檻を提供することにある。
【課題を解決するための手段】
【０００６】
本考案は、箱状の動物捕獲用檻の各面を個別の構成部材として準備し、これらの構成部材を線状コイルによって連結することで箱状の動物捕獲用檻を組立可能とし、線状コイルを取り外すことで箱状の動物捕獲用檻を各構成部材に分解可能としたものである。
【０００７】
すなわち、本発明の動物捕獲用檻は、正面を入口とした檻本体と、この檻本体の入口を開閉する落下扉を上下動可能に支持する支持枠とを備える動物捕獲用檻であって、前記檻本体は、５枚の平金網の周縁部どうしを線状コイルで連結することによって正面を入口として開口した箱状に形成されると共に、前記線状コイルを取り外すことによって５枚の平金網に分解され、前記支持枠は、その周縁部と前記檻本体の入口の周縁部とを線状コイルで連結することによって前記檻本体の入口に取り付けられると共に、前記線状コイルを取り外すことによって前記檻本体の入口から取り外されることを特徴とするものである。
【０００８】
前記５枚の平金網の周縁部どうし、及び前記支持枠の周縁部と前記檻本体の入口の周縁部の線状コイルによる連結は、具体的には線状コイルを螺旋状に巻き付けることによって行うことができる。
【考案の効果】
【０００９】
本考案によれば、５枚の平金網と、落下扉を支持する支持枠の周縁部どうしを線状コイルによって連結することで、容易に動物捕獲用檻を組み立てることができる。したがって、輸送や保管は組立前の状態で行い、現地にて動物捕獲用檻を組み立てることができるので、輸送を容易に行うことができ、保管スペースも小さくて済む。また、動物捕獲用檻を撤去あるいは移設する際には、線状コイルを取り外すことで容易に分解できるので、撤去や移設も容易に行うことができる。
【００１０】
さらに、複数種の大きさや形状の平金網及び支持枠を準備しておけば、これらの組み合わせによって種々の大きさや形状の動物捕獲用檻を容易に形成することができ、ユーザーのニーズにも容易に対応できる。
【考案を実施するための最良の形態】
【００１１】
以下、図面に示す実施例に基づき本考案の実施の形態を説明する。
【００１２】
図１は本考案の動物捕獲用檻の組立状態を示し、図２はその分解状態を示す。ただし、図２において組立時に使用する線状コイルは省略している。
【００１３】
図１及び図２に示す動物捕獲用檻は、５枚の平金網１ａ〜１ｅと、金網製の落下扉２を上下動可能に支持する支持枠３の周縁部どうしを線状コイル４によって連結することで組み立てられる。
【００１４】
具体的に説明すると、５枚の平金網１ａ〜１ｅのうち、平金網１ａ〜１ｄは同じ形状（長方形）であり、その枠状の周縁部の長辺どうしを線状コイル４によって連結し、さらに、平金網１ａ〜１ｅの連結によって形成された角筒体の一方の開口の周縁部（平金網１ａ〜１ｅの周縁部の一方の短辺）と平金網１ｅの枠状の周縁部とを同じく線状コイル４によって連結する。これによって、正面を入口として開口した箱状の檻本体１が形成される。
【００１５】
そして、檻本体１の入口の周縁部（平金網１ａ〜１ｅの周縁部の他方の短辺）と支持枠３の周縁部とを線状コイル４によって連結することで、図１に示す動物捕獲用檻が組み立てられる。また、線状コイル４を取り外せば、図２に示すように５枚の平金網１ａ〜１ｅと支持枠３に分解できる。
【００１６】
上述した５枚の平金網１ａ〜１ｅ及び支持枠３の各周縁部どうしの線状コイル４による連結は、図１に拡大して示すように、連結する２つの周縁部を巻き込むように、線状コイル４を螺旋状に巻き付けることによって行う。線状コイル４としては、直径４０ｍｍの金属製のものを使用する。
【００１７】
以上の構成において、支持枠３には落下扉２がガイドレール５に沿って上下動可能に支持されており、使用時には、落下扉２を上昇させて檻本体１の入口を開放した状態とする。そして、仕掛機構（図示せず）を設けることによって、檻本体１の入口から猪等の野生動物が侵入したら落下扉２が落下して檻本体１の入口を閉止させるようにする。仕掛機構の構成はとくに限定されず、例えば、上記特許文献１、２の機構を採用することができる。
【００１８】
なお、平金網１ａ〜１ｅ及び支持枠３の大きさや形状は図示の例に限定されるものではない。すなわち、複数種の大きさや形状の平金網及び支持枠を準備しておき、これらを適宜選択して組み合わせることによって、ユーザーのニーズに対応した種々の大きさや形状の動物捕獲用檻を形成することができる。
【図面の簡単な説明】
【００１９】
【図１】本考案の動物捕獲用檻の組立状態を示す。
【図２】本考案の動物捕獲用檻の分解状態を示す。
【符号の説明】
【００２０】
１  檻本体
１ａ〜１ｅ  平金網
２  落下扉
３  支持枠
４  線状コイル
５  ガイドレール
【図１】
0003147701.tif 000003
【図２】
0003147701.tif 000004